(57)【要約】【課題】添加材ホッパの蓋体の開閉を軽微な力で行うことができ、かつ、添加材ホッパの蓋体と土質改良機に取り付けたクレーンとの干渉を防ぐことができる土質改良機を提供すること。【解決手段】添加材ホッパ３０の上部には、投入口３１を覆う第１蓋体３５および第２蓋体３４が回動によって開閉するように設けられている。これらの第１蓋体３５および第２蓋体３４はそれぞれが投入口３１を部分的に覆い、両方で投入口３１全体を覆う大きさに設定されている。第１蓋体３５の回動方向と第２蓋体３４の回動方向とは互いに同じ方向に設定されている。第１蓋体３５および第２蓋体３４の開く方向は、本体フレーム３の短手方向におけるクレーン１０４側とは反対側に設定されている。【選択図】図６
2010059613.tif 000002
【特許請求の範囲】
【請求項１】
本体フレームと、
前記本体フレームの長手方向の一方側に設けられ土砂を受け入れる土砂ホッパと、
前記本体フレームに設けられ前記土砂ホッパの下方に位置し、前記土砂ホッパから排出された土砂を搬送する搬送手段と、
前記本体フレームの前記長手方向の他方側に設けられ、駆動源を備えたパワーユニットと、
前記本体フレームの長手方向の略中央に設けられ、添加材の投入口を上部に有する添加材ホッパと、
前記本体フレームの短手方向の一方側に設けられるとともに、前記本体フレームの長手方向における前記パワーユニットと前記添加材ホッパとの間に位置し、袋詰めされた添加材を、前記添加材ホッパの上方に吊り上げ可能なクレーンと、
前記本体フレームにおける前記添加材ホッパの下方に設けられ、前記搬送手段から供給される土砂と前記添加材ホッパから供給される添加材とを混合する混合装置と、
前記混合装置により生成された改良土を排出する排出コンベアと
を備えた土質改良機において、
前記添加材ホッパは、
前記投入口を覆うための第１，第２蓋体を有し、これら第１，第２蓋体はそれぞれ前記投入口を部分的に覆うとともに両方で前記投入口全体を覆う大きさに設定され、
前記第１，第２蓋体は両方とも、前記本体フレームの短手方向の他方側に向かって回動して開くよう前記添加材ホッパの上部に支持された
ことを特徴とする土質改良機。
【請求項２】
前記添加材ホッパは、その上部に、前記投入口を形成する枠部を有し、
前記第１蓋体は、前記第１蓋体が閉じた状態において前記本体フレームの短手方向における前記投入口の他方側の略半分を覆う第１覆い部を有し、
前記枠部における前記本体フレームの短手方向の他方側には、前記第１覆い部を前記本体フレームの短手方向の他方側に回動して開くよう支持する第１回動支持部が設けられ、
前記第２蓋体は、前記第２蓋体が閉じた状態において前記本体フレームの短手方向における前記投入口の一方側の略半分を覆う第２覆い部と、前記第２覆い部から前記本体フレームの短手方向の他方側に向かって延びた１対のアーム部とを有し、
前記枠部における前記本体フレームの短手方向の他方側には、前記第２覆い部が前記本体フレームの短手方向の他方側に回動して開くよう前記アーム部を回動可能に支持する第２回動支持部が設けられ、
前記第２回動支持部は、前記本体フレームの短手方向において、前記第２蓋体が閉じた状態の第２覆い部と前記第１回動支持部との間の位置に配置された
ことを特徴とする請求項１に記載の土質改良機。
【請求項３】
前記第１蓋体は前記第２蓋体が閉じた状態での開閉が可能に設けられ、
前記第２蓋体の前記第２覆い部には、サイロから延びた供給パイプを接続可能な接続部が設けられた
ことを特徴とする請求項１または２に記載の土質改良機。
【発明の詳細な説明】
【技術分野】
【０００１】
本発明は、石灰、セメント、木材チップ等の添加材を上部の投入口から受け入れて貯留する添加材ホッパを有し、この添加材ホッパの上部に投入口を覆う蓋体が設けられた土質改良機であって、その蓋体が回動により開閉するものに関する。
【背景技術】
【０００２】
この種の従来の土質改良機としては特許文献１，２で開示されたものがある。この従来の土質改良機において、添加材ホッパの投入口を覆う蓋体は１枚の板状部材からなっている。
【０００３】
また、土質改良機の種類の中には、添加材ホッパの側方にクレーンが配置されたものがある。このクレーンを使用して、添加材が入ったフレコンバック（フレキシブル‐コンテナ‐バック）を添加材ホッパの上方に吊上げることが行われる。（特許文献３参照）
【特許文献１】特許第３７２７８７０号公報
【特許文献２】特許第３７９８２８２号公報
【特許文献３】特開平１１−２１７８２２号公報
【発明の開示】
【発明が解決しようとする課題】
【０００４】
前述した従来の土質改良機における蓋体は、それ自体重たく、開閉の際に風にあおられやすい。このため、蓋体を開閉する人には大きな肉体的負担が掛かる。この肉体的負担を軽減するために、１枚の板状部材からなる蓋体に替えて、この蓋体の半分程度の大きさの２枚の蓋体を観音開きとなるよう設けた技術が、以前からある。
【０００５】
前述したように、土質改良機の種類の中には、添加材ホッパの側方にクレーンが配置され、このクレーンを使用して、添加材が入ったフレコンバック（フレキシブル‐コンテナ‐バック）を添加材ホッパの上方に吊上げることが行われるものがある。この種の土質改良機の添加材ホッパに対して２枚の蓋体を観音開きとする前述の技術を採用すると、開いた状態の２枚の蓋体は互いに相反する方向で添加材ホッパから突出し、２枚の蓋体の一方はクレーンと隣接する側の添加材ホッパの側方に突出して位置することになり、クレーンと干渉する虞がある。
【０００６】
本発明は前述の事情を考慮してなされたものであり、その目的は、添加材ホッパの蓋体の開閉を軽微な力で行うことができ、かつ、添加材ホッパの蓋体と土質改良機に取り付けたクレーンとの干渉を防ぐことができる土質改良機を提供することにある。
【課題を解決するための手段】
【０００７】
本発明の土質改良機は前述の目的を達成するために次のように構成されている。
【０００８】
〔１〕  本発明は、本体フレームと、前記本体フレームの長手方向の一方側に設けられ土砂を受け入れる土砂ホッパと、前記本体フレームに設けられ前記土砂ホッパの下方に位置し、前記土砂ホッパから排出された土砂を搬送する搬送手段と、前記本体フレームの前記長手方向の他方側に設けられ、駆動源を備えたパワーユニットと、前記本体フレームの長手方向の略中央に設けられ、添加材の投入口を上部に有する添加材ホッパと、前記本体フレームの短手方向の一方側に設けられるとともに、前記本体フレームの長手方向における前記パワーユニットと前記添加材ホッパとの間に位置し、袋詰めされた添加材を、前記添加材ホッパの上方に吊り上げ可能なクレーンと、前記本体フレームにおける前記添加材ホッパの下方に設けられ、前記搬送手段から供給される土砂と前記添加材ホッパから供給される添加材とを混合する混合装置と、前記混合装置により生成された改良土を排出する排出コンベアとを備えた土質改良機において、前記添加材ホッパは、前記投入口を覆うための第１，第２蓋体を有し、これら第１，第２蓋体はそれぞれ前記投入口を部分的に覆うとともに両方で前記投入口全体を覆う大きさに設定され、前記第１，第２蓋体は両方とも、前記本体フレームの短手方向の他方側に向かって回動して開くよう前記添加材ホッパの上部に支持されたことを特徴とする。
【０００９】
この「〔１〕」に記載の本発明では、前記添加材ホッパは、前記投入口を覆うための第１，第２蓋体を有し、これら第１，第２蓋体はそれぞれ前記投入口を部分的に覆うとともに両方で前記投入口全体を覆う大きさに設定されているので、第１，第２蓋体はいずれも１枚の板状部材からなる蓋体よりも軽く形成することができる。そして、第１，第２蓋体を個別に開けることで、１枚の板状部材からなる蓋体を開ける従来の場合よりも、添加材ホッパの蓋体の開閉を軽微な力で行うことができる。
【００１０】
さらに、「〔１〕」に記載の本発明は、第１，第２蓋体は両方とも、本体フレームの短手方向の他方側、すなわちクレーン側とは反対側に向かって回動して開くので、第１，第２蓋体はクレーン側に突出することがない。これにより、添加材ホッパの蓋体とクレーンとの干渉を防ぐことができる。
【００１１】
〔２〕  本発明は、「〔１〕」に記載の発明において、前記添加材ホッパは、その上部に、前記投入口を形成する枠部を有し、前記第１蓋体は、前記第１蓋体が閉じた状態において前記本体フレームの短手方向における前記投入口の他方側の略半分を覆う第１覆い部を有し、前記枠部における前記本体フレームの短手方向の他方側には、前記第１覆い部を前記本体フレームの短手方向の他方側に回動して開くよう支持する第１回動支持部が設けられ、前記第２蓋体は、前記第２蓋体が閉じた状態において前記本体フレームの短手方向における前記投入口の一方側の略半分を覆う第２覆い部と、前記第２覆い部から前記本体フレームの短手方向の他方側に向かって延びた１対のアーム部とを有し、前記枠部における前記本体フレームの短手方向の他方側には、前記第２覆い部が前記本体フレームの短手方向の他方側に回動して開くよう前記アーム部を回動可能に支持する第２回動支持部が設けられ、前記第２回動支持部は、前記本体フレームの短手方向において、前記第２蓋体が閉じた状態の第２覆い部と前記第１回動支持部との間の位置に配置されたことを特徴とする。
【００１２】
この「〔２〕」に記載の本発明によれば、第２蓋体を枠部に回動可能に支持する第２回動支持部を１対のアーム部によって、第２覆い部から第１回動支持部側に離して設けることができる。これにより、第２蓋体による投入口の開放面積を大きく設定しやすくすることができる。
【００１３】
〔３〕  本発明は、「〔１〕」または「〔２〕」の記載の発明において、前記第１蓋体は前記第２蓋体が閉じた状態での開閉が可能に設けられ、前記第２蓋体の第２覆い部には、サイロから延びた供給パイプを接続可能な接続部が設けられたことを特徴とする。
【００１４】
この「〔３〕」に記載の発明によれば、添加材ホッパに供給パイプを接続した状態で第１蓋体を開閉することができる。
【発明の効果】
【００１５】
本発明によれば、前述したように、添加材ホッパの蓋体の開閉を軽微な力で行うことができ、かつ、添加材ホッパの蓋体と土質改良機に取り付けたクレーンとの干渉を防ぐことができる。
【発明を実施するための最良の形態】
【００１６】
本発明の一実施形態に係る土質改良機について図を用いて説明する。
【００１７】
図１は本発明の一実施形態に係る土質改良機の左側面図である。図２は添加材ホッパ、および、その周囲に配置された足場やクレーンの斜視図である。図３−１は図２に示された添加材ホッパの拡大斜視図である。図３−２は図３に示された添加材ホッパの拡大背面図である。図４−１は第１，第２蓋体のうちの第１蓋体のみが開けられた添加材ホッパの斜視図である。図４−２は図４−１に示された添加材ホッパの拡大背面図である。図５−１は第１，第２蓋体の両方が開けられた添加材ホッパの斜視図である。図５−２は図５−１に示された添加材ホッパの拡大背面図である。図６は第１，第２蓋体の両方が開けられた添加材ホッパ、および、その周囲に配置された足場やクレーンの斜視図である。図７は第１，第２蓋体の重複部を簡略化して示すVII−VII断面に対応する拡大図である。図８−１はサイロ接続パイプの先端部とエア抜きパイプとが接続された添加材ホッパの斜視図である。図８−２は図８−１に示された添加材ホッパの第１蓋体が開けられた状態の斜視図である。図９は第１，第２蓋体の開閉方向が逆向きに付け替えられた添加材ホッパ、および、その周囲に配置された足場やクレーンの斜視図である。
【００１８】
図１に示すように、本実施形態に係る土質改良機１は、走行体２を備えて自走式となっている。この走行体２は、本体フレーム３と、この本体フレーム３の下方で左右に並列した１対の走行装置４とを有する。走行装置４の骨格はトラックフレーム５により形成されていて、このトラックフレーム５は、左右の走行装置４の間で本体フレーム３と結合している。トラックフレーム５の前後両端それぞれには、走行モータ６（油圧モータ）により駆動される駆動輪７、および、従動輪８（アイドラ）のそれぞれが設けられている。これら駆動輪７および従動輪８には、履帯９が掛け回されている。従動輪８側が土質改良機１の前側であり、駆動輪７側が土質改良機１の後側である。
【００１９】
本体フレーム３は、その長手方向の略中央に支持台１０を有する。この支持台１０上には、添加材ホッパ３０が設置されている。添加材ホッパ３０の下方には、土砂と添加材とを撹拌して混合させる混合装置１１が設置されている。添加材ホッパ３０の下部には、スクリューフィーダ１２と、このスクリューフィーダ１２に添加材を導くシュート１３とが取り付けられている。つまり、添加材ホッパ３０に貯留された添加材はシュート１３、スクリューフィーダ１２を介して、混合装置１１に送られるようになっている。
【００２０】
本体フレーム３の長手方向の一方側、すなわち混合装置１１の前方には、土砂を受け入れる土砂ホッパ１６が設けられている。この土砂ホッパ１６の下方には、土砂ホッパ１６から排出された土砂を混合装置１１まで搬送する搬送手段としての搬入コンベア１７が設けられている。
【００２１】
本体フレーム３の長手方向の他方側、すなわち支持台１０の後方には、駆動源、すなわちエンジンや、このエンジンにより駆動される油圧ポンプを内部に備えたパワーユニットを格納した機械室１４が設けられている。このパワーユニットの油圧ポンプから吐出された圧油は、走行モータ６や、スクリューフィーダ１２を駆動する油圧モータ（図示しない）に供給されるようになっている。
【００２２】
機械室１４と支持台１０との間には操作エリア１５が設けられている。この操作エリア１５には、走行モータ６を操作するための操作レバー１５ａや、その他の各機器を操作するための操作盤（図示しない）が設けられている。
【００２３】
混合装置１１の下方から後斜め上方には、排出コンベア１８が延びている。混合装置１１により生成された添加材と土砂からなる添加材混合土砂は、混合装置１１から排出コンベア１８に排出され、この排出コンベア１８により混合装置１１の後方に搬送されるようになっている。
【００２４】
図２に示すように、添加材ホッパ３０の前方（図２の斜め右上側）には、足場１００および欄干１０１が設けられている。添加材ホッパ３０の後方（同図の斜め左下側）にも、足場１０２および欄干１０３が設けられている。さらに、添加材ホッパ３０の右側方には、クレーン１０４が配置されている。
【００２５】
図３−１，図５−１に示すように、添加材ホッパ３０は、その上部に添加材を受け入れる投入口３１（図５−１に示す）を有し、この投入口３１が蓋装置３２により開閉可能になっている。この蓋装置３２は、添加材ホッパ３０の上端面を形成し中央に投入口３１が設けられた枠部３３と、この枠部３３に回動可能に支持された第１蓋体３５および第２蓋体３４を有する。これらの第１蓋体３５および第２蓋体３４はそれぞれ投入口３１を部分的に覆うとともに両方で投入口３１全体を覆う大きさに設定されている。例えば、第１蓋体３５が投入口３１の左側の略半分の範囲を覆い、第２蓋体３４が投入口３１の右側の略半分の範囲を覆うように設定されている。
【００２６】
図４−１〜図５−２に示すように、第１蓋体３５は、投入口３１を覆う部分である板状の第１覆い部３５ａと、この第１覆い部３５ａの左側の縁の前後両端から左方向に突起した１対の突起部３５ｂ，３５ｃとを有する。１対の突起部３５ｂ，３５ｃのそれぞれは、枠部３３に突起して設けられた第２回動支持部４５Ａ，４５Ｂのそれぞれにピン結合し、これにより、第１蓋体３５は枠部３３に回動可能に支持されている。
【００２７】
第２蓋体３４は、投入口３１を覆う部分である板状の第２覆い部３４ａと、この第２覆い部３４ａの左側の縁の前後両端から左方向に延びた１対のアーム部３４ｂ，３４ｃとを有する。この１対のアーム部３４ｂ，３４ｃのそれぞれは、枠部３３に突起して設けられた１対の第２回動支持部４４Ａ，４４Ｂのそれぞれにピン結合し、これにより、第２蓋体３４は枠部３３に回動可能に支持されている。
【００２８】
第１回動支持部４５Ａ，４５Ｂにおける軸ピンの軸方向と第２回動支持部４４Ａ，４４Ｂにおける軸ピンの軸方向とは平行で前後方向に設定されている。これにより、第１蓋体３５の回動方向と第２蓋体３４の回動方向とは互いに同じ左右方向（本体フレーム３の短手方向）になっている。また、図６に示すように、第１蓋体３５および第２蓋体３４は、添加材ホッパ３０のクレーン１０４側（右側）、足場１００側（前側）、足場１０２側（後側）のいずれでもない方向、すなわち左側に開くように設定されている。第１回動支持部４５Ａ，４５Ｂは投入口３１よりも左側に位置し、第２回動支持部４４Ａ，４４Ｂは左右方向において第２蓋体３４と第１回動支持部４５Ａ，４５Ｂとの間に位置する。第１蓋体３５は第２蓋体３４が閉じた状態での開閉が可能になっている。
【００２９】
図５−２に示すように、蓋装置３２は、第１蓋体３５を所定角度開いた状態に保持する第１保持機構６０を有する。この第１保持機構６０は回動ピン６１と規制溝６４とを有する。回動ピン６１はその一端において、枠部３３に突起して設けられたピン支持部６２に回動可能にピン結合している。回動ピン６１の回動は、第１蓋体３５の回動の軌道が描かれる面と平行な面内で行われる。回動ピン６１の他端は前方向に屈曲していて、規制溝６４に挿入されている。この規制溝６４は第１蓋体３５に沿って直線状に延びた直線部６４ａと、この直線部６４ａから屈曲して傾斜部６４ｂとを有する溝であり、第１蓋体３５の後側の縁部に沿って延びこの縁部に固着された細長い板状部材６３に形成されている。
【００３０】
このように構成された第１保持機構６０は、回動ピン６１の他端が規制溝６４の直線部６４ａ内に位置した状態では、第１蓋体３５の開く方向の回動も閉じる方向の回動も許容する。一方、回動ピン６１の他端が規制溝６４の傾斜部６４ｂ内に位置した状態では、回動ピン６１の他端と規制溝６４との相対移動が阻止されることにより、第１蓋体３５の開く方向の回動も閉じる方向の回動も阻止され、この結果、第１蓋体３５が所定角度開いた状態に保持される。
【００３１】
図５−２に示すように、蓋装置３２は、第２蓋体３４を所定角度開いた状態に保持する第２保持機構５０を有する。この第２保持機構５０は回動ピン５１と規制溝５３とを有する。回動ピン５１はその一端側で後側のアーム部３４ｃとピン結合している。回動ピン５１の回動は、後側のアーム部３４ｃの回動の軌道が描かれる面と平行な面内で行われる。回動ピン５１の他端は前方向に屈曲していて、規制溝５３に挿入されている。この規制溝５３は左右方向に直線状に延びた直線部５３ａと、この直線部５３ａの左端から下方向に屈曲した傾斜部５３ｂとを有する溝であり、枠部３３に設けられ左右方向に延びた細長い板状突起５２に形成されている。
【００３２】
このように構成された第２保持機構５０は、回動ピン５１の他端が規制溝５３の直線部５３ａ内に位置した状態では、回動ピン５１は他端を左方向または右方向に移動させつつ、一端を中心としてアーム部３４ｃに対し回動することにより、第２蓋体３４を開ける方向または閉める方向のアーム部３４ｃの回動を許容する。一方、回動ピン５１の他端が規制溝５３の傾斜部５３ｂ内に位置した状態では、回動ピン５１の他端が傾斜部５３ｂより左方向の移動を阻止されて第２蓋体３４を開ける方向のアーム部３４ｃの回動が阻止され、回動ピン５１の他端が傾斜部５３ｂにより右方向の移動を阻止されて第２蓋体３４を閉める方向のアーム部３４ｃの回動が阻止され、これにより、所定角度開いた状態の第２蓋体３４の保持が可能になっている。
【００３３】
蓋装置３２は、閉じた状態の第１蓋体３５および第２蓋体３４をロックするロック機構７０を備えている。このロック機構７０は、前後方向に延び第１蓋体３５上に設けられた３つの軸受部７１に挿通された軸棒７２を有する。この軸棒７２の両端部は第１蓋体３５の前後両側から突出していて、それらの端部のそれぞれにはフック７３が固着されている。枠部３３上において、フック７３が下方から引っ掛けられる係止部材７４が、取付部７５にネジ留めされている。軸棒７２には、回動レバー７６が設けられている。この回動レバー７６は軸棒７２の軸方向に直交する方向に延びている。この回動レバー７６は、フック７３が係止部材７４に引っ掛かった状態において第１蓋体３５の上面に沿って位置するようになっているとともに、前方向に屈折可能になっている。第１蓋体３５には、伸展した状態の回動レバー７６を係止して回動レバー７６による軸棒７２の回動を阻止するレバーロック部７７が設けられている。回動レバー７６は前方向への屈折によりレバーロック部７７から離脱可能である。
【００３４】
図７に示すように、第１蓋体３５および第２蓋体３４はそれぞれ、投入口３１を覆う範囲が互いに重複する重複部３５ｄ，３４ｄのそれぞれを有する。第２蓋体３４の重複部３４ｄには、この重複部３４ｄに沿って延び上方に突出した細長い突出部３４ｄ１が設けられている。突出部３４ｄ１の先端部は右方向に屈曲している。第１蓋体３５の重複部３５ｄは、その突出部３４ｄ１全体が下方から挿入される中空部３５ｄ１を形成している。これらの重複部３４ｄ，３５ｄは、図３−１，図４−１に示すように投入口３１に架け渡されて位置する。中空部３５ｄ１には図示しないシール材が設けられている。
【００３５】
第１蓋体３５には把持部３５ｅが、重複部３５ｄの前端側および後端側のそれぞれから右方向に突出して設けられている。第２蓋体３４には把持部３４ｅ，３４ｆが、右側に寄りの前後から突出して設けられている。
【００３６】
第２蓋体３４には、図３−１，図８−１に示すように、サイロ（図示しない）から延びた添加材の供給パイプ１３６を添加材ホッパ３０に接続するための接続部３６が設けられている。この接続部３６は、供給パイプ１３６から添加材を受け入れる受入口（図示しない）と、この受入口を不使用時に塞ぐ蓋体３６ａとを有する。供給パイプ１３６の端部には、受入口の周囲にネジ留めされるフランジ１３６ａが設けられている。このフランジ１３６ａをネジ留めするために受入口の周囲に設けられたネジ孔、およびネジは、蓋体３６ａを受入口の周囲にネジ留めするためにも利用される。図３−１，図８−１において１３６ｂが、それら蓋体３６ａまたはフランジ１３６ａをネジ留めするネジである。
【００３７】
枠部３３において、第１蓋体３５の右側方には、サイロによる添加材の供給時に、添加材ホッパ３０内の空気（エア）を外部に逃がすためのエア抜き部８０が設けられている。このエア抜き部８０は、図示しないエア抜き口と、このエア抜き口を不使用時に塞ぐ蓋体８０ａとを有する。エア抜き部８０の使用時には、図８−１に示すように、エア抜き用パイプ１８０が接続される。このエア抜きパイプ１８０の添加材ホッパ３０側の端部には、エア抜き口の周囲にネジ留めされるフランジ１８０ａが設けられている。このフランジ１８０ａをネジ留めするためにエア抜き口の周囲に設けられたネジ孔、およびネジは、蓋体８０ａをエア抜き口の周囲にネジ留めするためにも利用される。図３−１，図８−１において１８０ｂが、それら蓋体８０ａまたはフランジ１８０ａをネジ留めするネジである。
【００３８】
枠部３３において、１対の第１回動支持部４５Ａ，４５Ｂおよび１対の第２回動支持部４４Ａ，４４Ｂに対し左右方向に線対称となる位置には、第１蓋体３５および第２蓋体３４を、その開閉方向が逆向きになるように付け替えることを可能にする１対の付替え用第１回動支持部９１Ａ，９１Ｂおよび１対の付替え用第２回動支持部９０Ａ，９０Ｂおよびが設けられている。また、開閉方向が逆向きになるよう付け替えられた第１蓋体３５および第２蓋体３４に対応する枠部３３上の位置には、第１保持機構６０のピン支持部６２に相当する付替え用ピン支持部９４、第２保持機構５０の規制溝５３に相当する付替え用規制溝（図示しない）が形成された付替え用板状突起（図示しない）が設けられている。第１蓋体３５の第１覆い部３５ａの前側の縁部には板状部材９５が固着されていて、この板状部材９５に付替え用ピン支持部９４に対応する規制溝９６が形成されている。また、枠部３３には、ロック機構７０の係止部材７４を左右逆向きに付け替えるための付替え用取付部９７と、第１蓋体３５および第２蓋体３４の付替え後にエア抜き部８０の替わりに使用されるエア抜き部９８とが設けられている。
【００３９】
本実施形態に係る土質改良機１によれば次の効果を得られる。
【００４０】
土質改良機１では、蓋体として添加材ホッパ３０の上部に回動可能に支持された第１蓋体３５および第２蓋体３４を有し、これらの第１蓋体３５および第２蓋体３４はそれぞれが投入口３１を部分的に覆い、両方で投入口３１全体を覆う大きさに設定されているので、第１蓋体３５および第２蓋体３４はいずれも１枚の板状部材からなる従来の蓋体よりも軽く形成することができる。そして、第１蓋体３５および第２蓋体３４を個別に開けることで、１枚の板状部材からなる蓋体を開ける従来の場合よりも、添加材ホッパの蓋体の開閉を軽微な力で行うことができる。
【００４１】
土質改良機１では、第１蓋体３５および第２蓋体３４は両方とも、本体フレーム３の短手方向におけるクレーン１０４側とは反対側に向かって回動して開くので、第１，第２蓋体３５，３４はクレーン１０４側に突出することがない。これにより、添加材ホッパ３０の第１蓋体３５および第２蓋体３４とクレーン１０４との干渉を防ぐことができる。
【００４２】
土質改良機１では、第２蓋体３４を枠部３３に回動可能に支持する第２回動支持部４４Ａ，４４Ｂを１対のアーム部３４ｂ、３４ｃによって、第２覆い部３４ａから第１回動支持部４５Ａ，４５Ｂ側に離して設けることができる。これにより、第２蓋体３４による投入口３１の開放面積を大きく設定しやすくすることができる。
【００４３】
土質改良機１では、第２蓋体３４の重複部３４ｄには、この重複部３４ｄに沿って延び上方に突出した突出部３４ｄ１が設けられている。この突出部３４ｄ１によって、第２蓋体３４を開ける際、第２蓋体３４の上面を流れ落ちる結露が投入口３１に落下するのを防止することができる。
【００４４】
土質改良機１では、添加材ホッパ３０の前方および後方のそれぞれに足場１００，１０２のそれぞれが設けられ、第１蓋体３５および第２蓋体３４が、添加材ホッパ３０の足場１００側（右側）、足場１００側（前側）、足場１０２側（後側）のいずれでもない方向、すなわち左側に向かって開くよう設定されている。これにより、第１蓋体３５および第２蓋体３４が、クレーン１０４に干渉することを防止できるだけでなく、足場１００，１０２上での作業者の動作の障害にならないようにすることができる。
【００４５】
土質改良機１では、第２蓋体３４は、サイロから延びた供給パイプ１３６を添加材ホッパ３０に接続するための接続部３６を有し、かつ、第１蓋体３５は第２蓋体３４が閉じた状態のままでの開閉が可能である。これにより、供給パイプ１３６を第２蓋体３４に接続した状態のまま第１蓋体３５を開けて添加材ホッパの内部状態を目視点検することができる。
【００４６】
土質改良機１では、第１蓋体３５および第２蓋体３４を、図９に示すように開閉方向が逆向きになるよう付け替えることができる。これにより、クレーン１０４を使用せずにサイロから供給パイプ１０４を介して添加材ホッパ３０に添加材を供給する場合に、サイロの配置やサイロからの供給パイプ１０４の引き回しなどに応じて、第１蓋体３５および第２蓋体３４の開閉方向を左右２方向のうちから選択することができる。
【００４７】
なお、蓋体を開いた状態でクレーン動作に支障が無い（干渉しない）ようにするには、クレーンを本体フレームの短手方向のより外側に取り付けるか、添加材ホッパの投入口をクレーンが設けられた側とは反対側に遠ざけるかする必要が生じるが、これらは土質改良機の幅方向（本体フレームの短手方向）の寸法の増大を招くため採用できない。また、本体フレームの長手方向における添加材ホッパの側方に設けられた足場側に向かって蓋体を開くように設けることは、蓋体の開閉作業に支障を来たすために採用できない。さらに、その支障を解消するために、本体フレームの短手方向における添加材ホッパの側方にも足場を設けることは、土質改良機の幅方向の寸法の増大を招くために採用できない。
【図面の簡単な説明】
【００４８】
【図１】本発明の一実施形態に係る土質改良機の左側面図である。
【図２】添加材ホッパ、および、その周囲に配置された機器の斜視図である。
【図３−１】図２に示された添加材ホッパの拡大斜視図である。
【図３−２】図３に示された添加材ホッパの拡大背面図である。
【図４−１】第１，第２蓋体のうちの第１蓋体のみが開けられた添加材ホッパの斜視図である。
【図４−２】図４−１に示された添加材ホッパの拡大背面図である。
【図５−１】第１，第２蓋体の両方が開けられた添加材ホッパの斜視図である。
【図５−２】図５−１に示された添加材ホッパの拡大背面図である。
【図６】第１，第２蓋体の両方が開けられた添加材ホッパ、および、その周囲に配置された足場やクレーンの斜視図である。
【図７】第１，第２蓋体の重複部を簡略化して示すVII−VII断面に対応する拡大図である。
【図８−１】サイロ接続パイプの先端部とエア抜きパイプとが接続された添加材ホッパの斜視図である。
【図８−２】図８に示された添加材ホッパの第１蓋体が開けられた状態の斜視図である。
【図９】第１，第２蓋体の開閉方向が逆向きに付け替えられた添加材ホッパ、および、その周囲に配置された足場やクレーンの斜視図である。
【符号の説明】
【００４９】
１  土質改良機
２  走行体
３  本体フレーム
４  走行装置
５  トラックフレーム
６  走行モータ
７  駆動輪
８  従動輪
９  履帯
１０  支持台
１１  混合装置
１２  スクリューフィーダ
１３  シュート
１４  機械室
１５  操作エリア
１５ａ  操作レバー
１６  土砂ホッパ
１７  搬入コンベア
１８  排出コンベア
３０  添加材ホッパ
３１  投入口
３２  蓋装置
３３  基板
３４  第２蓋体
３４ａ  第２覆い部
３４ｂ，３４ｃ  アーム部
３４ｄ  重複部
３４ｄ１  突出部
３４ｅ，３４ｆ  把持部
３５  第１蓋体
３５ａ  第１覆い部
３５ｂ，３５ｃ  突起部
３５ｄ  重複部
３５ｄ１  中空部
３５ｅ  把持部
３６  接続部
３６ａ  蓋体
４４Ａ，４４Ｂ  第２回動支持部
４５Ａ，４５Ｂ  第１回動支持部
５０  第２保持機構
５１  回動ピン
５２  板状突起
５３  規制溝
５３ａ  直線部
５３ｂ  傾斜部
６０  第１保持機構
６１  回動ピン
６２  ピン支持部
６３  板状部材
６４  規制溝
６４ａ  直線部
６４ｂ  傾斜部
７０  ロック機構
７１  軸受部
７２  軸棒
７３  フック
７４  係止部材
７５  取付部
７６  回動レバー
７７  レバーロック部
８０  エア抜き部
８０ａ  蓋体  
９０Ａ，９０Ｂ  付替え用第２回動支持部
９１Ａ，９１Ｂ  付替え用第１回動支持部
９２  付替え用板状突起
９５  付替え用板状部材
９６  付替え用規制溝
９７  付替え用取付部
９８  エア抜き部
１００  足場
１０１  欄干
１０２  足場
１０３  欄干
１０４  クレーン
１３６  供給パイプ
１３６ａ  フランジ
１３６ｂ  ネジ
１８０  エア抜きパイプ
１８０ａ  フランジ
１８０ｂ  ネジ
【図１】
2010059613.tif 000003
【図２】
2010059613.tif 000004
【図３−１】
2010059613.tif 000005
【図３−２】
2010059613.tif 000006
【図４−１】
2010059613.tif 000007
【図４−２】
2010059613.tif 000008
【図５−１】
2010059613.tif 000009
【図５−２】
2010059613.tif 000010
【図６】
2010059613.tif 000011
【図７】
2010059613.tif 000012
【図８−１】
2010059613.tif 000013
【図８−２】
2010059613.tif 000014
【図９】
2010059613.tif 000015